(57)【特許請求の範囲】
【請求項１】
壁パネルと、洗面水槽を備え前記壁パネルと一体をなす洗面部と、該洗面部の上方に位置し内部に中空空間を備える収納部とを有し、前記洗面部の取り付け位置の高さを適当な高さに設定することが可能な洗面化粧台であり、
前記洗面部の取り付け位置に伴って上下する前記壁パネルの上端部を、前記収納部の前記中空空間に収納することが可能であり、前記壁パネルには、収納棚及び洗面鏡が備えられて前記壁パネルと共に上下することを特徴とする洗面化粧台。
【請求項２】
前記洗面部の下方に配設される配管を覆い隠すための配管カバーが、上下に入れ子状に配設された少なくとも２以上の配管カバー部材により構成されることを特徴とする請求項１に記載の洗面化粧台。
【発明の詳細な説明】
【０００１】
【産業上の利用分野】
本発明は、洗面水槽の高さを選択することが可能な洗面化粧台に関するものである。
【０００２】
【従来の技術】
洗面化粧台として、洗面水槽の高さが一定に固定された製品が知られている。
【０００３】
しかしながら、洗面水槽の最適な高さは、その洗面化粧台を使用する者によって異なるため、使用者の好みに応じて洗面水槽の高さを変更することが可能な洗面化粧台が用いられている（特開平７−２４６１６９号公報等）。
【０００４】
【発明が解決しようとする課題】
ところで、洗面化粧台を設置する際に、使用者の好みに合わせて洗面水槽の高さを設定すると、洗面水槽を備える洗面部と一体をなす壁パネル及び壁パネルに取り付けられた照明や洗面棚等の取り付け位置も上下するため、洗面化粧台全体の高さが洗面水槽の設置位置によって高低することとなる。
【０００５】
このため、洗面化粧台が設置可能な洗面所の室内高が、洗面水槽の取付位置により異なることとなり、洗面化粧台を設置する際に不具合が生ずる。
【０００６】
また、洗面化粧台の外観品質を目的として、洗面水槽の下方に配設される配管を、覆い隠す配管カバーにおいても、洗面水槽の取り付けいちに応じて異なる高さの配管カバーを用いる必要が生ずるため、洗面化粧台のコストアップにつながる。
【０００７】
本発明は上記の課題に鑑みてなされたものであり、その目的とするところは、洗面部の取り付け位置の高低に拘わらず、洗面化粧台全体の高さが一定となる洗面化粧台を提供するものであり、また、洗面部の取り付け位置に応じて異なる種類の配管カバーを用いることなく、単種類の配管カバーで配管の露出を防止することができる洗面化粧台を提供するものである。
【０００８】
【課題を解決するための手段】
上記目的を達成するために、請求項１に記載の洗面化粧台では、壁パネルと、洗面水槽を備え前記壁パネルと一体をなす洗面部と、該洗面部の上方に位置し内部に中空空間を備える収納部とを有し、前記洗面部の取り付け位置の高さを適当な高さに設定することが可能な洗面化粧台であり、前記洗面部の取り付け位置に伴って上下する前記壁パネルの上端部を、前記収納部の前記中空空間に収納することが可能であり、前記壁パネルには、収納棚及び洗面鏡が備えられて前記壁パネルと共に上下することを特徴とする。
【０００９】
このような請求項１に記載の洗面化粧台では、壁面の所定の高さに設置される前記収納部の内部に設けられた前記中空空間に、前記洗面部の取り付け位置に伴って設置位置が上下する前記壁パネルの上端部を収納することが可能であるので、洗面部の取り付け位置の高さに拘わらず洗面化粧台全体の高さを一定とすることができる。
【００１０】
また、請求項２に記載の洗面化粧台では、請求項１に記載の洗面部の下方に配設される配管を覆い隠すための配管カバーが、上下に入れ子状に配設された少なくとも２以上の配管カバー部材により構成されることを特徴とする。
【００１１】
このような請求項２に記載の洗面化粧台では、前記配管カバー部材を上下に入れ子状に配設させることにより、前記洗面水槽の取り付け位置が上下する場合でも、その取り付け位置に応じて重ね合せる幅を変えて配管カバー自体の高さを調節することができるため、一種類の配管カバーのみで洗面水槽の下方に配設される配管を覆い隠すことが可能となる。
【００１２】
そのため、洗面水槽の取り付け位置ごとに異なる高さの配管カバーを用意する必要がなくなり、洗面化粧台全体のコスト削減を図ることが可能となると共に、洗面化粧台全体としての外観品質の保持・向上を図ることが可能となる。
【００１３】
【発明の実施の形態１】
本発明の実施の形態１に係る洗面化粧台１は、図１、図２に示すように洗面棚を備える壁パネル２と、洗面水槽５を備え壁パネル２と一体をなす洗面部６と、照明灯３を備える収納部４とを有している。
【００１４】
この洗面化粧台１を取り付ける取付壁面７の壁面内には、図３、図４に示すように洗面化粧台１の取り付けを補強する補強木桟８が設けられている。
【００１５】
取付壁面７には、取付壁面７及び補強木桟８を貫通する壁面取付孔９ａ、９ｂが設けられており、この壁面取付孔９ａ、９ｂと洗面部６に設けられる洗面取付孔１０とをボルト１１とナット１２からなる締結部材で締結されることにより洗面部６が取付壁面７に固定される。
【００１６】
壁面取付孔９ａ、９ｂは、上下方向に複数箇所等間隔で設けられており、使用者にとって洗面水槽５の高さが最適となる位置に設けられた壁面取付孔９ａ、９ｂを用いて、洗面部６が取り付けられる。
【００１７】
洗面水槽５の左右下面には取付壁面７に沿って下方に延びる取付金物１５、１５が設けられている。この取付金物１５、１５には、前述の洗面取付孔１０が壁面取付孔９ａ、９ｂと同じ間隔で、上下に左右４カ所ずつ配設されている。
【００１８】
洗面水槽５には簡易シャワーを兼ねる蛇口部１６が設けられており、洗面部６の下方には蛇口部１６用の水道用配管２０、洗面水槽５の排水孔２１から延びる排水用配管２２等の配管２３が取付壁面７に沿って床下へ向かって配設されている。
【００１９】
洗面部６の上方には、収納棚３４、３４及び洗面鏡３３を備えた壁面パネル２が設置されている。洗面部６の取り付け位置が上下すると、その取り付け位置に伴って、洗面部６と一体をなす壁パネル２の設置位置も上下する。
【００２０】
洗面部６の上方には、収納部４が設置されている。この収納部４は取付壁面７の所定の高さに設置されており、洗面部６及び壁面パネル２の取り付け位置が上下しても収納部４の設置位置は変化しない。
【００２１】
前記収納部４は、正面から見て凹字形状をした図５〜図７に示すような収納ボックス部３５を有しており、収納ボックス部３５は左右上端部に設けられた取付片３６、３６を釘着させることにより取付壁面７に固定されている。収納ボックス部３５の内部は、図６に示すように取付壁面７側の開いた中空空間３９が形成されており、その外部前面には図７に示すように照明灯３を保持する照明保持部４０が設けられている。
【００２２】
収納ボックス部３５の下面には、前記壁パネル２の上端部４１が挿入可能な収納開口４２が設けられており、図８に示すように洗面部６の取り付け位置に伴って設置位置が上下される壁パネル２の上端部を、収納ボックス部３５の内部に導入する役割を果たしてい
る。
【００２３】
収納ボックス３５内部に形成された中空空間３９は、洗面部６の取り付け位置を最上部に設定しても、壁パネル２の上端部４１が収納ボックス部３５の上面よりも高い場所に位置することがなく、また、洗面部６の取り付け位置を最下部に設定しても、壁パネル２の上端部４１が収納開口４２より下方に位置しないだけの上下幅を確保している。
【００２４】
洗面部６の真下には、この配管２３を覆い隠す配管カバー２５が設けられている。
【００２５】
この配管カバー２５は、図９に示すように上下に分かれた配管カバー部材２６、２７により構成されている。配管カバー部材２６は洗面水槽５に固定され、配管カバー部材２７は取付壁面７に固定されており、配管カバー部材２６、２７は互いに入れ子状に配設されている。
【００２６】
この配管カバー部材２６、２７は、水平断面が略コ字形状に形成されており、略コ字形状の開口部側を取付壁面７に向けて設置される。
【００２７】
配管カバー２５の上側に配置される配管カバー部材２６の上部は、洗面水槽５の下面の半球形状に合わせてカットされており、その中央部には、洗面水槽５の排水孔２１から取付壁面７へ延びる排水用配管２２を覆い隠すために設けられた凸状部３０が形成されている。
【００２８】
配管カバー２５には、配管カバー部材２７の上部に、配管カバー部材２６の下部を重ね合わせることにより重ねしろ２９が設けられており、取り付けられた洗面水槽５の高さに応じてこの重ねしろ２９の幅を調節することにより、洗面水槽５の取付位置に左右されることなく配管２３の露出を防止することが可能でなる。
【００２９】
以下、本発明に係る洗面化粧台の効果について説明する。
【００３０】
本発明に係る洗面化粧台１では、図２、図８に示すように、洗面部６の取り付け位置に伴って設置位置が上下する壁パネル２の上端部４１を、洗面部６の設置位置に拘わらず取付壁面７の所定の高さに設置される収納部４の中空空間３９に、収納開口４２を介して収納することが可能であるので、洗面部６の洗面水槽５を使用者が最適な高さに設置した場合であっても、洗面化粧台１全体の高さを常に一定に保つことが可能となる。
【００３１】
また、図９に示すように、配管カバー部材２６、２７を重ね合わせて重ねしろを設け、洗面水槽５の取り付け位置に応じて重ねしろの幅を変更することにより、配管カバー２５自体の高さを調節することが可能となるため、洗面水槽５の取り付け位置ごとに異なる高さの配管カバー２５を用意する必要が無く、単種類の配管カバー２５のみで配管２３を覆い隠すことが可能となる。
【００３２】
このため、洗面化粧台１全体のコスト削減を図ることが可能となると共に、洗面化粧台１全体としての外観品質の保持・向上を図ることが可能となる。
【００３３】
また、本発明では、洗面取付孔１０と壁面取付孔９ａ、９ｂとをボルト１１とナット１２とからなる締結部材で締結させることにより洗面水槽５の取り付け位置を設定しているため、洗面化粧台１の設置時に洗面水槽５を使用者にとって最適な高さに取り付けることが可能であると共に、洗面水槽５の高さが使用者にとって最適な高さでなくなった場合には、締結部材を一旦取り外して、再度、最適な位置で締結し直すことにより、洗面水槽５の高さを容易に変更することができる。
【００３４】
以上、本発明に係る洗面化粧台を、図面を使って詳述してきたが、本発明は上記実施の形態１に限定されるものではなく、本発明の要旨を逸脱しない範囲での設計変更等があっても本発明に含まれる。
【００３５】
例えば、本発明の実施の形態では、洗面部６をボルト１１とナット１２とからなる締結部材により取付壁面７に取り付けたが、図１０に示すようなビス４４による釘着等であっても良い。
【００３６】
また、本実施の形態１で示した取付壁面７は、建物の壁面であっても良く、また、洗面化粧台１の取り付けを支持するために用いられるパネル部材であっても良い。
【００３７】
【発明の効果】
以上説明したように請求項１に記載の洗面化粧台では、壁面の所定の高さに設置される前記収納部の内部に設けられた前記中空空間に、前記洗面部の取り付け位置に伴って設置位置が上下する前記壁パネルの上端部を収納することが可能であるので、洗面部の取り付け位置の高さに拘わらず洗面化粧台全体の高さを一定とすることができる。
【００３８】
また、請求項２に記載の洗面化粧台では、前記配管カバー部材の一部を上下に入れ子状に配設させることにより、前記洗面水槽の取り付け位置が上下する場合でも、その取り付け位置に応じて重ね合せる幅を変えて配管カバー自体の高さを調節することができるため、一種類の配管カバーのみで洗面水槽の下方に配設される配管を覆い隠すことが可能となる。
【００３９】
そのため、洗面水槽の取り付け位置ごとに異なる高さの配管カバーを用意する必要がなくなり、洗面化粧台全体のコスト削減を図ることが可能となると共に、洗面化粧台全体としての外観品質の保持・向上を図ることが可能となる。
【図面の簡単な説明】
【図１】本発明の実施に形態１に示す洗面化粧台の正面図を示したものである。
【図２】図１に示した洗面化粧台において、洗面化粧台の洗面水槽の取り付け位置が上下した場合の洗面化粧台の側面図（ａ、ｂ）を示したものである。
【図３】本発明の実施の形態１に示す洗面化粧台における洗面部が取付壁面・補強木桟に取り付けられた状態を示した概略斜視図である。
【図４】本発明の実施の形態１に示す洗面化粧台において、取付壁面及び補強木桟に対してボルトとナットにより取り付けられる洗面部を示した展開斜視図である。
【図５】本発明の実施の形態１における収納ボックス部を示したものであって、（ａ）は、収納ボックス部の正面図を示したものである。（ｂ）は、（ａ）におけるＡ−Ａ線に沿った断面図である。（ｃ）は、（ａ）におけるＢ−Ｂ線に沿った断面図である。（ｄ）は、（ａ）におけるＣ−Ｃ線に沿った断面図である。（ｅ）は、収納ボックス部の側面図を示したものである。
【図６】本発明の実施の形態１における収納ボックス部の裏面側斜視図を示したものである。
【図７】本発明の実施の形態１における収納ボックス部の正面側斜視図を示したものである。
【図８】本発明の実施の形態１における収納ボックス部の中空空間に壁パネルの上端部が収納された状態を表す洗面化粧台の側方視断面図であって、（ａ）は洗面部の取り付け位置が低い場合において、壁パネル上端部が中空空間へ収納された状態を示した断面図であり、
（ｂ）は洗面部の取り付け位置が高い場合において、壁パネル上端部が中空空間へ収納された状態を示した断面図である。
【図９】本発明の実施の形態１に示す洗面化粧台における配管カバーを示した概略斜視図である。
【図１０】本発明の実施の形態１に示す洗面化粧台におけて、取付壁面及び補強木桟に対してビスにより取り付けられる洗面水槽を示した展開斜視図である。
【符号の説明】
１      洗面化粧台
２      壁パネル
４      収納部
５      洗面水槽
６      洗面部
７      取付壁面
８      補強木桟
２５    配管カバー
３３ 洗面鏡
３４ 収納棚
３５    収納ボックス部
３９    中空空間
４２    収納開口
【図１】
0003540667.tif 000002
【図２】
0003540667.tif 000003
【図３】
0003540667.tif 000004
【図４】
0003540667.tif 000005
【図５】
0003540667.tif 000006
【図６】
0003540667.tif 000007
【図７】
0003540667.tif 000008
【図８】
0003540667.tif 000009
【図９】
0003540667.tif 000010
【図１０】
0003540667.tif 000011